【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
同期呼出し／ブロードキャスト通知プロトコルをサポートするローカルエリアネットワーク（ＬＡＮ）機器が、セッション制御プロトコルをサポートする広域ネットワーク（ＷＡＮ）における通信セッションを制御することができるようにするための方法であって、
ａ）前記広域ネットワークにおける所定の通信セッションを制御するためのオペレーションを呼び出す同期呼出し／ブロードキャスト通知プロトコルメッセージを前記ＬＡＮ機器から受けるステップであって、前記オペレーションの実行が、前記セッション制御プロトコルをサポートする少なくとも１つのＷＡＮ装置との少なくとも２つのセッション制御プロトコルメッセージの交換を伴う、ステップと、
ｂ）前記オペレーションの前記実行を開始するように適合された前記少なくとも２つのセッション制御プロトコルメッセージのうちの第１のメッセージを生成するために、ａ）で受けた前記同期呼出し／ブロードキャスト通知プロトコルメッセージを処理するステップと、
ｃ）前記オペレーションの前記実行を開始するために、ｂ）において生成された前記メッセージを前記広域ネットワークへ送るステップと、
ｄ）前記オペレーションの結果を示す条件を待って、前記呼び出されたオペレーションへの前記ＬＡＮ機器に対する応答をサスペンドするステップと、
ｅ）前記条件が得られたとき、前記オペレーションの前記結果を示す、前記ＬＡＮ機器に対する前記応答を生成するステップと、
ｆ）ｅ）において生成された前記応答を前記ＬＡＮ機器に送るステップと
を含む、方法。
【請求項２】
ｄ）は、前記少なくとも２つのセッション制御プロトコルメッセージのうちの残りのメッセージを前記少なくとも１つのＷＡＮ装置と交換し、前記呼び出されたオペレーションへの前記応答が前記ＬＡＮ機器に送られるまで、少なくとも２つのセッション制御プロトコルメッセージの前記交換の終了を待つステップを含む、請求項１に記載の方法。
【請求項３】
前記呼び出されたオペレーションの前記実行を実行スレッドに指示するステップを更に含み、前記スレッドは、ステップｂ）およびｃ）を実行する、請求項１または２に記載の方法。
【請求項４】
ステップｄ）は、前記スレッドの実行をサスペンドし、前記少なくとも２つのセッション制御プロトコルメッセージの前記交換が終了したときに前記スレッドを再開するステップを含む、請求項３に記載の方法。
【請求項５】
ステップｅ）およびｆ）は、再開した前記実行スレッドによって実行される、請求項４に記載の方法。
【請求項６】
ｃ）における前記メッセージが、ＷＡＮサーバを介して前記少なくとも１つのＷＡＮ装置に送られる、請求項１から５のいずれかに記載の方法。
【請求項７】
前記オペレーションの前記結果が肯定的であるとき、ｅ）において生成された前記応答が、前記所定の通信セッションを正しく制御するために必要な情報を含む、請求項１から６のいずれかに記載の方法。
【請求項８】
少なくとも１つの所定の状態変数の変化に関する通知を受けるために、加入をセットアップするための要求を前記ＬＡＮ機器から受けるステップをさらに含む、請求項１から７のいずれかに記載の方法。
【請求項９】
前記少なくとも１つの所定の状態変数の変化の発生時、前記変化の通知を加入済みの前記ＬＡＮ機器にブロードキャストするステップをさらに含む、請求項８に記載の方法。
【請求項１０】
前記同期呼出し／ブロードキャスト通知プロトコルがＵＰｎＰである、請求項１から９のいずれかに記載の方法。
【請求項１１】
前記セッション制御プロトコルがＳＩＰである、請求項１から１０のいずれかに記載の方法。
【請求項１２】
ｄ）における前記条件が、前記広域ネットワークからセッション制御プロトコルメッセージを受けることに関係し、前記メッセージが前記オペレーションの前記結果を示す、請求項１から１１のいずれかに記載の方法。
【請求項１３】
前記オペレーションの前記結果を示す前記セッション制御プロトコルメッセージを前記広域ネットワークから受けたとき、または前記セッション制御プロトコルメッセージを所定の時間期間内に受けないとき、ｅ）およびｆ）が実行される、請求項１２に記載の方法。
【請求項１４】
ａ）において呼び出される前記所定のオペレーションが、前記少なくとも１つのＷＡＮ装置にＬＡＮ機器アイデンティティを登録するためのオペレーションと、前記ＬＡＮ機器とＷＡＮユーザデバイスとの間の通信セッションをセットアップするためのオペレーションと、２つのＷＡＮユーザデバイス間の通信セッションをセットアップするためのオペレーションと、ＷＡＮユーザデバイスとの通信セッションをセットアップすることを受け入れるためのオペレーションと、前記ＬＡＮ機器とＷＡＮユーザデバイスとの間の継続中の通信セッションを前記ＬＡＮ機器から別のＷＡＮユーザデバイスへ転送するためのオペレーションと、第１のＷＡＮユーザデバイスと第２のＷＡＮユーザデバイスとの間の継続中の通信セッションを前記第１のＷＡＮユーザデバイスから前記ＬＡＮ機器へ転送するためのオペレーションと、前記ＬＡＮ機器への着呼をＷＡＮユーザデバイスへ転送するためのオペレーションと、保留中の通信セッションに関わるメディア機能を再交渉するためのオペレーションとを含むグループから選択される、請求項１から１３のいずれかに記載の方法。
【請求項１５】
前記セッション制御プロトコルがＳＩＰであるとき、ｂ）において生成される前記メッセージが、ＳＩＰ  ＲＥＧＩＳＴＥＲメッセージと、ＳＩＰ  ＩＮＶＩＴＥメッセージと、ＳＩＰ  ２００  ＯＫメッセージとを含むグループから選択される、請求項１から１４のいずれかに記載の方法。
【請求項１６】
同期呼出し／ブロードキャスト通知プロトコルをサポートするローカルエリアネットワーク（ＬＡＮ）機器が、セッション制御プロトコルをサポートする広域ネットワーク（ＷＡＮ）における通信セッションを制御することができるようにするためのインターフェースデバイスであって、
ａ）前記広域ネットワークにおける所定の通信セッションを制御するためのオペレーションを呼び出す同期呼出し／ブロードキャスト通知プロトコルメッセージを前記ＬＡＮ機器から受け、前記オペレーションの実行が、前記セッション制御プロトコルをサポートする少なくとも１つのＷＡＮ装置との少なくとも２つのセッション制御プロトコルメッセージの交換を伴い、
ｂ）前記オペレーションの前記実行を開始するように適合された前記少なくとも２つのセッション制御プロトコルメッセージのうちの第１のメッセージを生成するために、ａ）で受けた前記同期呼出し／ブロードキャスト通知プロトコルメッセージを処理し、
ｃ）前記オペレーションの前記実行を開始するために、ｂ）において生成された前記セッション制御プロトコルメッセージを前記広域ネットワークへ送り、
ｄ）前記オペレーションの結果を示す条件を待って、前記呼び出されたオペレーションへの前記ＬＡＮ機器に対する応答をサスペンドし、
ｅ）前記条件が得られたとき、前記オペレーションの前記結果を示す、前記ＬＡＮ機器に対する前記応答を生成し、
ｆ）ｅ）において生成された前記応答を前記ＬＡＮ機器に送る
ように適合されたモジュールを含む、インターフェースデバイス。
【請求項１７】
同期呼出し／ブロードキャスト通知プロトコルをサポートする少なくとも１つのＬＡＮ機器と、インターフェースデバイスとを備えるローカルエリアネットワーク（ＬＡＮ）と、
セッション制御プロトコルをサポートする複数のＷＡＮ装置を備える広域ネットワーク（ＷＡＮ）とを含む通信システムであって、
前記インターフェースデバイスが、
ａ）前記広域ネットワークにおける所定の通信セッションを制御するためのオペレーションを呼び出す同期呼出し／ブロードキャスト通知プロトコルメッセージを前記ＬＡＮ機器から受け、前記オペレーションの実行が、前記複数のＷＡＮ装置のうちの少なくとも１つのＷＡＮ装置との少なくとも２つのセッション制御プロトコルメッセージの交換を伴い、
ｂ）前記オペレーションの前記実行を開始するように適合された前記少なくとも２つのセッション制御プロトコルメッセージのうちの第１のメッセージを生成するために、ａ）で受けた前記同期呼出し／ブロードキャスト通知プロトコルメッセージを処理し、
ｃ）ｂ）において生成された前記セッション制御プロトコルメッセージを前記複数のＷＡＮ装置のうちの１つへ送り、
ｄ）前記オペレーションの結果を示す条件を待って、前記呼び出されたオペレーションへの前記ＬＡＮ機器に対する応答をサスペンドし、
ｅ）前記条件が得られたとき、前記オペレーションの前記結果を示す、前記ＬＡＮ機器に対する前記応答を生成し、
ｆ）ｅ）において生成された前記応答を前記ＬＡＮ機器に送る
ように適合されたモジュールを含む、通信システム。